(57)【要約】【課題】耐寒耐水服のサイズを効率よく調整可能な耐寒耐水服を提供することを目的としている。【解決手段】首部分から手足を含めて覆うように服形状に、保温性を有する耐水性材料で製造された耐寒耐水服本体１と、前記耐寒耐水服本体の内側の前部腹部分に一端３３が固定され、腰部分に水平に捲回され、後部腰部分に固定された方向転換治具５により、背中方向に方向転換され、肩部分を通過して前部に捲回されるサスペンダ３と、前記サスペンダの長さを調整するための調整環３２とを備えたことを特徴とする。【選択図】図１
2007331524.tif 000002
【特許請求の範囲】
【請求項１】
首部分から手足を含めて覆うように服形状に、保温性を有する耐水性材料で製造された耐寒耐水服本体と、前記耐寒耐水服本体の内側の前部腹部分に一端が固定され、腰部分に水平に捲回され、後部腰部分に固定された方向転換治具により、背中方向に方向転換され、肩部分を通過して前部に捲回されるサスペンダと、前記サスペンダの長さを調整するための調整環とを備えたことを特徴とする耐寒耐水服。
【請求項２】
首部分から手足を含めて覆うように服形状に、保温性を有する耐水性材料で製造された耐寒耐水服本体と、前記耐寒耐水服の内側の前部の左腰部分近辺に一端を固定され、股部分を通過して背中部分を通過し、肩部分を通過して右または左前部に捲回されるサスペンダと、前記耐寒耐水服の内側の前部の右腰部分近辺に一端を固定され、股部分を通過して背中部分を通過し、肩部分を通過して左または右前部に捲回されるサスペンダと、前記２本のサスペンダのそれぞれに設けられた前記サスペンダの長さを調整するための調整環とを備えたことを特徴とする耐寒耐水服。
【請求項３】
前記サスペンダは弾性のある材料であることを特徴とする請求項１または２記載の耐寒耐水服。
【発明の詳細な説明】
【技術分野】
【０００１】
本発明は耐寒耐水服、さらに詳細には、低海水温域に着水したときに人命を保護するために使用される耐寒耐水服に関する。
【背景技術】
【０００２】
海水温度が０℃近辺の低温海域において、飛行機の故障などによる着水事故、落下傘降下あるいは船舶の海難事故、回廊作業中の転落事故などによって入水するような場合においては、このような海水温においても長時間人命が維持できるように耐寒性があり、かつ耐水性の耐寒耐水服が使用されている。
【０００３】
このような耐寒耐水服は、図３に示すように手足を含む首から下全体を覆う一体的に形成された耐寒耐水服本体１を備えており、さらに首から頭部全体を覆う耐寒耐水フード２を備えた構造になっている。前記耐寒耐水服本体１は前面に水密ファスナー１１を備えており、この水密ファスナー１１を開いて、足及び手を前記耐寒耐水服本体１内に入れて、前記水密ファスナー１１を閉じることによって着用可能である（特開平６−３２２８２号参照）。
【０００４】
このような耐寒耐水服は、基本的に前記耐寒耐水服を着用する者に対応し、種々のサイズがあるのが望ましいが、緊急時にのみ使用されるものであるから、コスト面から種々の体格の者に対応可能なサイズを取りそろえておくことは困難である。このため、従来は、耐寒耐水服本体１の内側の腰付近に一端を固定した２本のサスペンダ３を設けてある。このサスペンダ３は、少なくとも肩付近に固定されたベルト通し穴３１を通過してわき腹付近まで伸長しており、前記わき腹付近に設けられた調整環３２により、その長さが調整可能になっている。
【０００５】
この耐寒耐水服を着用するに際しては、手足を入れた後、前記サスペンダ３の他方の先端部を引っ張り、調整環３２により長さを調整する。前記サスペンダ３の一端は腰付近に固定されており、かつ肩付近に固定されたベルト通し穴３１を通っているので、耐寒耐水服本体１を上方に引っぱり上げられるような形になる。このため耐寒耐水服を大寸法に作製しておき、前記サスペンダ３の長さを調整することによって、耐寒耐水服のサイズ調整が可能になっている。
【特許文献１】特開平６−３２２８２号公報
【特許文献２】特開平７−２０５８９６号公報
【発明の開示】
【発明が解決しようとする課題】
【０００６】
しかしながら、従来の耐寒耐水服にあっては、単に耐寒耐水服後部内側の腰付近に前記サスペンダ３の一端が固定されているのみであるため、前記サスペンダ３の長さを調整するため、前記サスペンダ３を引張るときに、一点にしか力が付加されず、大きな力を必要とするという欠点がある。また、ウエスト部分には、ゴム４などが通されているのみであるので、ウエスト部分のサイズ調整ができないという欠点もある。
【０００７】
本発明は、上述の課題を解決するためなされたものであり、耐寒耐水服のサイズを効率よく調整可能な耐寒耐水服を提供することを目的としている。
【課題を解決するための手段】
【０００８】
上記課題を解決するため、本発明による耐寒耐水服は、首部分から手足を含めて覆うように服形状に、保温性を有する耐水性材料で製造された耐寒耐水服本体と、前記耐寒耐水服本体の内側の前部腹部分に一端が固定され、腰部分に水平に捲回され、後部腰部分に固定された方向転換治具により、背中方向に方向転換され、肩部分を通過して前部に捲回されるサスペンダと、前記サスペンダの長さを調整するための調整環とを備えたことを特徴とする。
【０００９】
さらに本発明による耐寒耐水服は、首部分から手足を含めて覆うように服形状に、保温性を有する耐水性材料で製造された耐寒耐水服本体と、前記耐寒耐水服の内側の前部の左腰部分近辺に一端を固定され、股部分を通過して背中部分を通過し、肩部分を通過して右または左前部に捲回されるサスペンダと、前記耐寒耐水服の内側の前部の右腰部分近辺に一端を固定され、股部分を通過して背中部分を通過し、肩部分を通過して左または右前部に捲回されるサスペンダと、前記２本のサスペンダのそれぞれに設けられた前記サスペンダの長さを調整するための調整環とを備えたことを特徴とする。
【発明の効果】
【００１０】
本発明による耐寒耐水服によれば、サスペンダは、肩付近でベルト通し穴を挿通しており、かつウエストベルトと繋がっているため、一回の操作でサスペンダとウエストベルトを同時に締めることができるため、より短時間で着用でき、より着用者の身体にフィットするため着用後の着用者が動きやすいという利点がある。
【００１１】
また本発明による第２の耐寒耐水服によれば、前記サスペンダは、肩付近でベルト通し穴を挿通しており、耐寒耐水服本体の、特に上半身部分のサイズを小さくすることができる。一方、前記第１及び第２のサスペンダは左右の前記耐寒耐水服本体の内側の前部の左腰部分近辺にその一端が固定されており、かつ股部分を通過しているため前記第１及び第２のサスペンダを引張ったときに下半身部分を引き上げることができ、耐寒耐水服本体の上半身及び下半身両方のサイズを小さくすることが可能になる。
【発明を実施するための最良の形態】
【００１２】
本発明による耐寒耐水服は、首部分から手足を含めて覆うように服形状に、保温性を有する耐水性材料で製造された耐寒耐水服本体と、前記耐寒耐水服本体の内側の前部腹部分に一端が固定され、腰部分に水平に捲回され、後部腰部分に固定された方向転換治具により、背中方向に方向転換され、肩部分を通過して前部に捲回されるサスペンダと、前記サスペンダの長さを調整するための調整環とを備えたことを特徴とする。
【００１３】
また第２の本発明の耐寒耐水服は、首部分から手足を含めて覆うように服形状に、保温性を有する耐水性材料で製造された耐寒耐水服本体と、前記耐寒耐水服の内側の前部の左腰部分近辺に一端を固定され、股部分を通過して背中部分を通過し、肩部分を通過して右または左前部に捲回されるサスペンダと、前記耐寒耐水服の内側の前部の右腰部分近辺に一端を固定され、股部分を通過して背中部分を通過し、肩部分を通過して左または右前部に捲回されるサスペンダと、前記２本のサスペンダのそれぞれに設けられた前記サスペンダの長さを調整するための調整環とを備えたことを特徴とする。
【００１４】
上述のような耐寒耐水服において、本発明の好ましい形態においては、前記サスペンダは弾性のある材料であることを特徴とする。
【実施例】
【００１５】
本発明による第１の実施例においては、図１に示すように、手足を含む首から下全体を覆う一体的に形成された耐寒耐水服本体１を備えており、さらに首から頭部全体を覆う耐寒耐水フード２を備えた構造になっている。前記耐寒耐水服本体１および耐寒耐水フード２は保温性を有する耐水性材料で製造されており、耐寒及び耐水性を保持するようになっている。
【００１６】
さらに耐寒耐水服本体１は前面に水密ファスナー１１を備えており、この水密ファスナー１１を開いて、足及び手を前記耐寒耐水服本体１内に入れて、前記水密ファスナー１１を閉じることによって着用可能となっている。
【００１７】
本発明においては、サスペンダ３は少なくとも肩付近に固定されたベルト通し穴３１を通過してわき腹付近まで伸長しており、前記わき腹付近に設けられた調整環３２により、その長さが調整可能になっている。前記サスペンダ３の他方部分は前記肩付近に固定されたベルト通し３１を通り、背後の腰部分に固定された方向転換治具５によって、前記耐寒耐水服本体１の内側の腰周り部分に水平に捲回され、その端部３３は前記耐寒耐水服本体１の内側の前部腹部分Ｂで前記耐寒耐水服本体１に固定されている。すなわち前記耐寒耐水服本体１の内側の腰周りに設けられた複数のベルト通し穴３１を通って水平に腰部分に捲回されている（この部分を腰周り部分３４という）。前記方向転換治具５は、図１に拡大図を示すように耐寒耐水服本体１の内側に斜めに固定されており、サスペンダ３が所定の辺５１から前記歩行転換治具５内に挿入され、隣接する辺５２より出されることにより、サスペンダ３の方向が転換されるようになっている。
【００１８】
前述のような構造のサスペンダ３は左右に二本形成されている。
【００１９】
このような構造になっているため、耐寒耐水服本体１の水密ファスナー１１を開けて、手足などを挿入して着用した後、サスペンダ３の他端３５を引張って、調整環３２により長さを調整する。サスペンダ３の長さを調整することによって、サスペンダ３の腰部分に水平に捲回された前記腰周り部分３４が引張られ、ウエスト部分の寸法が調整されるとともに、前記耐寒耐水服本体１の上半身のサイズが小さくなる。それぞれのサスペンダ３の長さを調整した後、水密ファスナー１１を閉めることにより、前記耐寒耐水服本体１を着用する。
【００２０】
このとき前記サスペンダ３は、肩付近でベルト通し穴３１を挿通しており、かつ腰周り部分３４と繋がっているため、一回の操作で２箇所（ウエスト及び耐寒耐水服の上半身のサイズ）を同時に締めることができるため、短時間での着用が可能となる。
【００２１】
前述のサスペンダ３は、布体のように剛性のある材料で製造することもできるが、好ましくは弾性のある材料、たとえばゴム材料で製造するのが好ましい。着用者が前屈の動作をしたときにサスペンダのつっぱりを軽減することができる。
【００２２】
図２は本発明による第２の実施例を示す図であるが、この図より明らかなように、手足を含む首から下全体を覆う一体的に形成された耐寒耐水服本体１を備えており、さらに首から頭部全体を覆う耐寒耐水フード２を備えた構造になっている。前記耐寒耐水服本体１および耐寒耐水フード２は保温性を有する耐水性材料で製造されており、耐寒及び耐水性を保持するようになっている。
【００２３】
さらに耐寒耐水服本体１は前面に水密ファスナー１１を備えており、この水密ファスナー１１を開いて、足及び手を前記耐寒耐水服本体１内に入れて、前記水密ファスナー１１を閉じることによって着用可能となっている。
【００２４】
本発明においては、第１のサスペンダ６は前記耐寒耐水服本体１の内側の前部の左腹部分ＬＢ近辺にその一端６１が固定されている。そして、股部分を通過して背中部分に至り、肩部分のベルト通し穴６２を通過して右又は左前部に捲回されている。前記第１のサスペンダ６は前記サスペンダ６の他端６３付近に設けられた調整環６４により、その長さが調整可能になっている。前記第１のサスペンダ６は前記耐寒耐水服本体１の内側に設けられた複数のベルト通し穴６２を通過して案内されるようになっている。同様に、第２のサスペンダ７は前記耐寒耐水服本体１の内側の前部の右腹部分ＲＢ近辺にその一端７１が固定されている。そして、股部分を通過して背中部分に至り、肩部分のベルト通し穴６２を通過して左又は右前部に捲回されている。前記第２のサスペンダ７は前記サスペンダ７の他端７３付近に設けられた調整環７４により、その長さが調整可能になっている。前記第１のサスペンダ６は前記耐寒耐水服本体１の内側に設けられた複数のベルト通し穴６２を通過して案内されるようになっている。上述のようにサスペンダ３は股で交差させてもよく、交差させないでもよい。
【００２５】
このような構造になっているため、耐寒耐水服本体１の水密ファスナー１１を開けて、手足などを挿入して着用した後、サスペンダ６および７の他端６３及び７３をそれぞれを引張って、調整環６４および７４により長さを調整する。それぞれのサスペンダ６，７の長さを調整した後、水密ファスナー１１を閉めることにより、前記耐寒耐水服本体１を着用する。
【００２６】
このとき前記サスペンダ６，７は、肩付近でベルト通し穴６２，７２を挿通しており、耐寒耐水服本体１の、特に上半身部分のサイズを小さくすることができる。一方、前記第１及び第２のサスペンダ６，７は左右の前記耐寒耐水服本体１の内側の前部の左腰部分ＬＬＢ近辺にその一端６１、７１が固定されており、かつ股部分を相互に交差して通過しているため（交差していない場合も同様である）前記第１及び第２のサスペンダ６，７を引張ったときに下半身部分を引き上げることができ、耐寒耐水服本体１の下半身部分のサイズを小さくすることが可能になる。
【００２７】
前述のサスペンダ６，７は、前記第１の実施例と同様に布体のように剛性のある材料で製造することもできるが、好ましくは弾性のある材料、たとえばゴム材料で製造するのが好ましい。着用者が前屈の動作をしたときにサスペンダのつっぱりを軽減することができる。
【産業上の利用可能性】
【００２８】
本発明による耐寒耐水服によれば、サスペンダは、肩付近でベルト通し穴を挿通しており、かつウエストベルトと繋がっているため、一回の操作でウエストベルトとサスペンダの２箇所を同時に締めることができるため、短時間での着用が可能となる。
【００２９】
また本発明による第２の耐寒耐水服によれば、前記サスペンダは、肩付近でベルト通し穴を挿通しており、耐寒耐水服本体の、特に上半身部分のサイズを小さくすることができる。一方、前記第１及び第２のサスペンダは左右の前記耐寒耐水服本体の内側の前部の左腰部分近辺にその一端が固定されており、かつ股部分を通過しているため前記第１及び第２のサスペンダを引張ったときに下半身部分を引き上げることができ、耐寒耐水服本体の上半身及び下半身両方のサイズを小さくすることが可能になる。したがって、容易に着用可能になる。
【図面の簡単な説明】
【００３０】
【図１】本発明の第１の実施例の説明図。
【図２】本発明の第２の実施例の説明図。
【図３】従来の耐寒耐水服の説明図。
【符号の説明】
【００３１】
１      耐寒耐水服本体
２      耐寒耐水フード
３      サスペンダ
３１    ベルト通し穴
３２    調整環
５      方向転換治具
６      サスペンダ
【図１】
2007331524.tif 000003
【図２】
2007331524.tif 000004
【図３】
2007331524.tif 000005